(57)【要約】【課題】  エアフォイルのための空力的輪郭形状とそのような輪郭形状を有するエアフォイルを含んでなるガスタービンブレードを提供する。【解決手段】  本発明の輪郭形状は、コーティング厚の増大のよる、隣接するエアフォイル間の流路面積の低減に対抗する。複数の径方向の翼断面がコーティングされた及び非コーティング両方のエアフォイルの基準的輪郭形状を形成する。該翼断面は中心軸から径方向に延びるエアフォイルのスタッキングラインに対して垂直をなす全方向で測定される誤差内に設けられかつＸ、Ｙ及びＲデカルト座標でインチ単位で定義される。Ｒ値は径方向で最も低い翼断面においてゼロ（０）のＲ値を有するエアフォイルのスタッキングラインに対して垂直な平面から垂直方向における距離でありかつ径方向において増大し、さらに該Ｘ値とＹ値は該エアフォイルのスタッキングラインから垂直に測定される。【選択図】  図２
2006046334.tif 000002
【特許請求の範囲】
【請求項１】
非コーティングの、複数の径方向の翼断面を整形することによって形成される基準的形状を含んでなり、
該翼断面は、中心軸から径方向に延びるエアフォイルのスタッキングラインに対して直角をなす全ての方向における±０．００６インチの包絡線内に配置され、かつ表１に表示されたように、インチ単位でＸ、Ｙ、Ｒデカルト座標値で定義され、及び
前記Ｒは、径方向で最も低い翼断面においてゼロ（０）のＲ値を有するエアフォイルのスタッキングラインに対して垂直な平面からの垂直方向における距離であり、かつ径方向において増大し、さらに、該Ｘ値とＹ値は該エアフォイルのスタッキングラインから垂直な距離であることを特徴とする、エアフォイルのための空力的輪郭形状。
【請求項２】
前記Ｘ、Ｙ及びＲ座標のそれぞれが、正の値で拡大縮小されることを特徴とする請求項１記載の空力的輪郭形状。
【請求項３】
エアフォイル輪郭形状であって、該輪郭形状は、複数の径方向の翼断面を整形することによって形成される基準的な非コーティングの形状を有するエアフォイル輪郭形状を含んでなり、
該翼断面は、中心軸から径方向に延びるエアフォイルのスタッキングラインに対して直角をなす全ての方向における±０．００６インチの包絡線内に配置され、かつ表１に表示されたように、インチ単位でＸ、Ｙ、Ｒデカルト座標値で定義され、及び
前記Ｒは、径方向で最も低い翼断面においてゼロ（０）のＲ値を有するエアフォイルのスタッキングラインに対して垂直な平面からの垂直方向における距離であり、かつ径方向において増大し、さらに、該Ｘ値とＹ値は該エアフォイルのスタッキングラインから垂直な距離であることを特徴とする、ガスタービン・ブレード。
【請求項４】
前記ブレードが第１段タービン・ブレードであることを特徴とする、請求項３記載のガスタービン・ブレード。
【請求項５】
非コーティングの、複数の径方向の翼断面を整形することによって形成される基準的形状であって、該翼断面は、中心軸から径方向に延びるエアフォイルのスタッキングラインに対して直角をなす全ての方向における±０．００６インチの包絡線内に配置され、かつ表１に表示されたように、インチ単位でＸ、Ｙ、Ｒデカルト座標値で定義され、ここで、前記Ｒは、径方向で最も低い翼断面においてゼロ（０）のＲ値を有するエアフォイルのスタッキングラインに対して垂直な平面から垂直方向における距離であり、かつ径方向において増大し、さらに、該Ｘ値とＹ値は該エアフォイルのスタッキングラインから垂直な距離である、基準的形状と、
該基準的かつ非コーティング形状の上に適用されるコーティングであって、該コーティングは＋０．００２インチと＋０．０１４インチの間の厚さを有する、コーティング、
を含んでなることを特徴とする、エアフォイルのための空力的輪郭形状。
【請求項６】
前記Ｘ、Ｙ及びＲ座標のそれぞれが、正の値で拡大縮小されることを特徴とする請求項５記載の空力的輪郭形状。
【請求項７】
コーティングされた、複数の径方向の翼断面を整形することによって形成される基準的形状を含んでなり、
該翼断面は、中心軸から径方向に延びるエアフォイルのスタッキングラインに対して直角をなす全ての方向における−０．００４インチと＋０．０２０インチの間の包絡線内に配置され、かつ表１に表示されたように、インチ単位でＸ、Ｙ、Ｒデカルト座標値で定義され、及び
前記Ｒは、径方向で最も低い翼断面においてゼロ（０）のＲ値を有するエアフォイルのスタッキングラインに対して垂直な平面から垂直方向における距離であり、かつ径方向において増大し、さらに、該Ｘ値とＹ値は該エアフォイルのスタッキングラインから垂直な距離であることを特徴とする、エアフォイルのための空力的輪郭形状。
【請求項８】
前記ブレードが第１段タービン・ブレードであることを特徴とする、請求項７記載のガスタービン・ブレード。
【発明の詳細な説明】
【技術分野】
【０００１】
本願は、共に継続中の米国特許出願”ＣＯＯＬＥＤ  ＲＯＴＯＲ  ＢＲＡＤＥ”（出願人整理番号ＥＨ−１１３０３)、”ＣＯＯＬＥＤ  ＲＯＴＯＲ  ＢＲＡＤＥ”（出願人整理番号ＥＨ−１１３５３）、”ＣＯＯＬＥＤ  ＲＯＴＯＲ  ＢＲＡＤＥ  ＡＮＤ  ＭＥＴＨＯＤ  ＦＯＲ  ＣＯＯＬＩＮＧ  Ａ  ＲＯＴＯＲ  ＢＲＡＤＥ”（出願人整理番号ＥＨ−１１３５４）、”ＣＯＯＬＥＤ  ＲＯＴＯＲ  ＢＲＡＤＥ  ＷＩＴＨ  ＬＥＡＤＩＮＧ  ＥＤＧＥ  ＩＭＰＩＮＧＥＭＥＮＴ  ＣＯＯＬＩＮＧ”（出願人整理番号ＥＨ１１３６２）、”ＣＯＯＬＥＤ  ＲＯＴＯＲ  ＢＬＡＤＥ”（出願人整理番号ＥＨ１１３６３）、”ＣＯＯＬＥＤ  ＲＯＴＯＲ  ＢＬＡＤＥ”（出願人整理番号ＥＨ１１３６４）に関連した主題を開示するものである。
【０００２】
本発明はガスタービン・エンジンの構成部材に関し、より詳細には、エアフォイルのための空力的輪郭形状（ｐｒｏｆｉｌｅ（プロファイル））とそのような輪郭形状を有するエアフォイルを含んでなるブレードに関する。
【背景技術】
【０００３】
ガスタービン・エンジンの効率は、エンジンを構成する主要な部分の個々の効率に直接関連する。タービンセクションには、高温燃焼ガスから出力を抽出しかつその出力を共通シャフトを介して圧縮機セクションに伝達するブレード付きロータが含まれている。ブレードのエアフォイル部分の効率は抽出された出力量を決定し、逆に言えば、非効率により浪費された出力量を決定する。ガスタービンのオペレータにとって、燃料のコストはビジネスを考慮する上で非常に重要なことであるため、エアフォイルの空力的効率を改善することは非常に有益なことである。
【０００４】
運転中、タービン・ブレードはその融点を超え得る温度の燃焼ガスにさらされるため、耐久性と可動寿命を引き延ばすために熱的に保護されなくてはならない。典型的には、ブレードは内部空気の通過によって冷却され、かつ、断熱被膜で外部から絶縁される。内部空気の通路に関する様々な例を、ここに組み入れられる参考文献の中で見ることができる。内部通路は、ブレード全体の構造強度を制限することなく、エアフォイルを適切に冷却するよう設計される。以下の特許文献１（Ｕｌｉｏｎ等の米国特許第５，２６２，２４５号）に記載されるタイプの断熱被膜は、エアフォイル上の適用位置に基づいて変化させた厚さを有するようにブレードのエアフォイルに適用される。非常に高熱の燃焼ガス温度にさらされるエアフォイルの配置箇所ではより厚いコーティングが必要となる。
【０００５】
エアフォイルに対しより厚いコーティングを適用することは、エアフォイルの空力的効率、具体的には、適正量の燃焼ガスを後方に向かわせるエアフォイルの性能に、否定的な影響を及ぼす。エアフォイルのコーティング厚を増加することで、隣接するエアフォイル間の流路面積が減少し、そのため空力的効率及び適正量の燃焼ガスを放出する性能が低減する。そこで必要とされるのが、コーティング厚を増加する一方で隣接するエアフォイル間の流路面積を適正に維持できるようなエアフォイルの輪郭形状である。
【特許文献１】米国特許第５，２６２，２４５号明細書
【発明の開示】
【発明が解決しようとする課題】
【０００６】
従って、本発明は、コーティング厚を増加する一方で隣接するエアフォイル間の流路面積を適正に維持でき、タービンの空力的効率を改善する、空力的輪郭形状を有するエアフォイルを提供することを目的とする。
【課題を解決するための手段】
【０００７】
本発明の第一の態様は、
非コーティングの、複数の径方向の翼断面を整形することによって形成される基準的形状を含んでなり、
該翼断面は、中心軸から径方向に延びるエアフォイルのスタッキングラインに対して直角をなす全ての方向における±０．００６インチ（±１．５２４×１０-4 ｍ）の包絡線内に配置され、かつ表１に表示されたように、インチ単位でＸ、Ｙ、Ｒデカルト座標値で定義され、及び
前記Ｒは、径方向で最も低い翼断面においてゼロ（０）のＲ値を有するエアフォイルのスタッキングラインに対して垂直方向における距離であり、かつ径方向において増大し、さらに、該Ｘ値とＹ値は該エアフォイルのスタッキングラインから垂直な距離であることを特徴とする、エアフォイルのための空力的輪郭形状であり、前記Ｘ、Ｙ及びＲ座標のそれぞれが、正の値で拡大縮小されてもよい。
【０００８】
本発明の第二の態様は、
エアフォイル輪郭形状であって、該輪郭形状は、複数の径方向の翼断面を整形することによって形成される基準的な非コーティングの形状を有するエアフォイル輪郭形状を含んでなり、
該翼断面は、中心軸から径方向に延びるエアフォイルのスタッキングラインに対して直角をなす全ての方向における±０．００６インチ（±１．５２４×１０-4 ｍ）の包絡線内に配置され、かつ表１に表示されたように、インチ単位でＸ、Ｙ、Ｒデカルト座標値で定義され、及び
前記Ｒは、径方向で最も低い翼断面においてゼロ（０）のＲ値を有するエアフォイルのスタッキングラインに対して垂直な平面から垂直方向における距離であり、かつ径方向において増大し、さらに、該Ｘ値とＹ値は該エアフォイルのスタッキングラインから垂直な距離であることを特徴とする、ガスタービン・ブレードであり、前記ブレードが第１段タービン・ブレードであってよい。
【０００９】
本発明の第三の態様は、
非コーティングの、複数の径方向の翼断面を整形することによって形成される基準的形状であって、該翼断面は、中心軸から径方向に延びるエアフォイルのスタッキングラインに対して直角をなすいずれかの方向における±０．００６インチ（±１．５２４×１０-4 ｍ）の包絡線内に配置され、かつ表１に表示されたように、インチ単位でＸ、Ｙ、Ｒデカルト座標値で定義され、ここで、前記Ｒは、径方向で最も低い翼断面においてゼロ（０）のＲ値を有するエアフォイルのスタッキングラインに対して垂直な平面から垂直方向における距離であり、かつ径方向において増大し、さらに、該Ｘ値とＹ値は該エアフォイルのスタッキングラインから垂直な距離である、基準的形状と、
該基準的かつ非コーティング形状の上に適用されるコーティングであって、該コーティングは＋０．００２インチ（５．０８×１０-5 ｍ）と＋０．０１４インチ（３．５５６×１０-4 ｍ））の間の厚さを有する、コーティング、
を含んでなることを特徴とする、エアフォイルのための空力的輪郭形状であり、前記Ｘ、Ｙ及びＲ座標のそれぞれが、正の値で拡大縮小されてもよい。
【００１０】
本発明の第四の態様は、
コーティングされた複数の径方向の翼断面を整形することによって形成される基準的形状を含んでなり、
該翼断面は、中心軸から径方向に延びるエアフォイルのスタッキングラインに対して直角をな全ての方向における−０．００４インチ（−１．０１６×１０-4 ｍ）と＋０．０２０インチ（＋５．０８×１０-4 ｍ）の間の包絡線内に配置され、かつ表１に表示されたように、インチ単位でＸ、Ｙ、Ｒデカルト座標値で定義され、及び
前記Ｒは、径方向で最も低い翼断面においてゼロ（０）のＲ値を有するエアフォイルのスタッキングラインに対して垂直な平面から垂直方向における距離であり、かつ径方向において増大し、さらに、該Ｘ値とＹ値は該エアフォイルのスタッキングラインから垂直な距離であることを特徴とする、エアフォイルのための空力的輪郭形状であり、前記ブレードが第１段タービン・ブレードであってもよい。
【００１１】
本発明の実施態様によれば、タービンの空力的効率を改善する、好ましくは第１段タービン・ブレード用のエアフォイルの輪郭形状が提供される。該輪郭形状は又、空力的性能を改善し、かつエアフォイルの損失を低減するために、第１段ブレードと、第１段と第２段の静翼との相互作用を改善する。さらに、該輪郭形状によれば、隣接するエアフォイル間の流路面積、並びに後方に向かい得る燃焼ガス量を低減することなくコーティング厚を増加することが可能となる。コーティングされたエアフォイル間の領域範囲は、領域が増大するようにそれぞれのエアフォイルを回転させて、増加したコーティング厚による領域損失による影響を打ち消すことによって維持される。また、さらには、本発明のエアフォイルの輪郭形状により、流体剥離、離脱気泡、衝撃波、前縁の過速度及び表面速度の増加などといった、性能を犠牲にする元凶が排除される。
【００１２】
本発明のエアフォイル輪郭形状の実施態様は、中央の、エンジンのセンターラインから延びる径に合致するエアフォイルのスタッキングラインに対して直角をなすよう配置される、複数の二次元の翼断面によって定義される。各翼断面は、プラットフォームの最も高いポイントからインチ単位で測定される一定の径方向座標における複数のX、Yデカルト座標の組み合わせで定義される。表１に、室温における基準となる非コーティングの場合の輪郭形状における各翼断面についてのX、Y、R座標（単位：インチ）を提供する。標準的な製造方法における変化量を説明するために、スタッキングラインに対して直角をなす全ての方向において計測された、−０．００６インチ（−１．５２４×１０-4 ｍ）から＋０．００６インチ（＋１．５２４×１０-4 ｍ）という座標誤差が、各翼断面の基準座標を包含する包絡線の範囲を明確にする。コーティングされた場合の輪郭形状を説明するために、スタッキングラインに対して直角をなす全ての方向において計測された、＋０．００２インチ（５．０８×１０-5 ｍ）から＋０．０１４インチ（３．５５６×１０-4 ｍ）という（製造公差に追加される）補足的な座標誤差が、コーティングされた場合の座標を含む包絡線の範囲を明確にする。各翼断面の二次元形状を明確にするため、X、Y座標の組をスプライン関数（ｓｐｌｉｎｅ）でなめらかに整形する。三次元の輪郭形状を完成させるために、二次元の翼断面のそれぞれを、スプライン関数を用いて径方向においてなめらかに相互結合させた。
【００１３】
本発明の実施態様によるガスタービン・ブレードは、タービンの空力的効率を改善し、かつコーティングされたエアフォイル間の流路面積が、各エアフォイルの回転によって維持されるため、増加したコーティング厚による領域損失による影響を打ち消すことができる。ブレードは、表１の座標による基準的なエアフォイルの輪郭形状を含んでなり、特定のタービン用途に応じてコーティングすることもコーティングしないことも可能である。
【発明を実施するための最良の形態】
【００１４】
図１の高圧タービン１０は、交互に配置される回転ブレード１２の段と静翼１４の段を備える。各段のブレード１２は、ディスク１８の径方向外側のリム１６の周囲で周方向に配置される。ブレード１２はディスク１８と一体的に形成するか、又は該リム１６の厚さを通って軸方向に離間して設けられたのこ歯スロットに合致させてもよい。ブレード１２は、タービン１０の中心軸２２を軸として回転し、燃焼ガス２０から出力を抽出し、ディスク１８にその出力を送る。ブレード１２を高温燃焼ガス２０から保護するため、内部冷却通路と断熱被膜を通常利用する。コーティング厚は、燃焼ガスにさらされ、制限された寿命を有するブレードの領域内では増大させる。図示する例においては、ブレード１２は静翼１４間で軸方向に配置され、最適なタービン１０の性能と効率を提供するよう、空力的にそれら静翼と相互作用する。本発明のブレード１２は、その他のタービン構造において代替的に設けることができることは理解すべきである。
【００１５】
本発明の実施態様によるエアフォイル輪郭形状を有するタービンブレード１２を図２と図３に示す。ブレード１２は、根部２４、プラットフォーム２６及びエアフォイル２８を含んでなる。根部２４の軸方向における外郭は、略クリスマス・ツリー（もみの木）形状であり、ディスク１８中の若干それよりも大きな寸法で同様の外郭を有するスロットの内部に適合する。根部２４は、ブレード１２において最も内側における径（軸）部分であり、タービン１０の運転中、ブレード１２をディスク１８中で保持する。プラットフォーム２６は根部２４とエアフォイル２８の間にある、部分環形状の表面部分であり、隣り合うブレード１２を係合した際に環状ダクト３２（図１）の内側壁部３０を形成する。エアフォイル２８は、プラットフォーム２６の径方向外側に配置され、かつ高温燃焼ガスにさらされる部分である。エアフォイル２８は、プラットフォーム上に食い違い（ｓｔａｇｇｅｒｅｄ）に設けられ、軸方向の燃焼ガス２０に対してある角度をなす。隣接するブレード１２間における領域は、適正量の燃焼ガス２０を後方の静翼１４に方向付ける。軸方向の燃焼ガス２０に対するエアフォイル２８の角度を低減することによって、隣接するエアフォイル２８間の流路面積を増大させ、エアフォイル２８のコーティング厚による流路面積損失による影響を打ち消すことができる。
【００１６】
本発明の実施態様によるエアフォイル２８の輪郭形状は複合的な曲率を有し、前縁３４、後縁３６、正圧面３８及び負圧面分４０を含んでなる。輪郭形状は、複数の二次元の翼断面４２によって定義され、それら翼断面のそれぞれはエアフォイルのスタッキングライン４４と直角をなして設けられる。エアフォイルのスタッキングライン４４は、タービン１０の中心軸２２から径方向外側に向かって延びる径４６に一致する。各翼断面４２は、プラットフォームの最も高いポイント、ハイ・ポイント（図２及び図３に軸起点として示す）からインチ単位で測定される、複数のＸ、Ｙデカルト座標の組と一定な径方向の座標寸法Ｒによって定義される。径方向で最も内側の翼断面４２は、径方向の座標寸法Ｒが０（ゼロ）で定義され、順次外側に続くそれぞれの輪郭形状は、増大したＲ値で定義される。各翼断面４２を定義するＸ、Ｙ座標の組は、各翼断面を完全にするようスプライン関数で滑らかに整形される。同様に、翼断面４２のそれぞれは、エアフォイル２８の最適な輪郭形状を完全にするため、スプライン関数を用いて径方向において滑らかに整形する。
【００１７】
室温における基準的な、非コーティングの輪郭形状を定義するＸ、Ｙ、Ｒデカルト座標を、以下の表１にインチ単位で表示する。表に示すように、各翼断面４２が、タービン１０の中心軸２２からの一定の径方向距離で定義されるため、特定の翼断面４２を定義するＲ座標のそれぞれは一定である。Ｘ座標とＹ座標は、スタッキングライン４４に対して垂直に測定された、正のデカルト座標値と負のデカルト座標値で表示されている。
【００１８】
室温におけるエアフォイル４２の基準となる非コーティングの輪郭形状を定義する表１に表示する座標は、製作公差、運転温度、あるいは様々なコーティング厚を考慮していない。従って、スタッキングライン４４に対して垂直をなす全ての方向において測定された座標誤差である−０．００６インチ（−１．５２４×１０-4 ｍ）から＋０．００６インチ（＋１．５２４×１０-4 ｍ）が、表１の基準的座標を包含する包絡線を明確にする。エアフォイル２８に対するコーティングを考慮するべく、スタッキングライン４４に対して直角をなす全ての方向において計測された＋０．００２インチ（５．０８×１０-5 ｍ）から＋０．０１４インチ（３．５５６×１０-4 ｍ）という補足的な座標誤差が、各翼断面４２がコーティングされた場合の座標を含む包絡線を明確にする。
【００１９】
Ｘ、Ｙ及びＲの座標は又、０より大きい一定の数量値で各座標値を乗ずることによって、それら尺度を大きくしたり小さくすることができる。全ての翼断面４２の座標を拡大縮小することにより、本発明の実施態様による輪郭形状を、より大きい、あるいはより小さい容量のタービン１０の性能を最適化するのに使用することができる。
【００２０】
本発明の実施態様による非コーティングのガスタービン・ブレード１２は、タービン１０の空力的効率を改善し、かつ、後方の静翼１４に向かう燃焼ガス２０の流量を維持する。非コーティングのガスタービン・エアフォイル２８は、ガスタービン・エンジンに組み込まれる前に断熱被膜でコーティングされ、かつ表１の座標による基準的な輪郭形状を有する。製作公差を考慮するため、スタッキングライン４４に対して垂直をなす全ての方向において測定された座標誤差である−０．００６インチ（−１．５２４×１０-4 ｍ）から＋０．００６インチ（＋１．５２４×１０-4 ｍ）が、表１の基準的座標を包含する包絡線を明確にすることは理解すべきである。
【００２１】
本発明の実施態様によるコーティングされたガスタービン・ブレード１２は、タービン１０の空力的効率を改善し、かつ、後方の静翼１４に向かう燃焼ガス２０の流量を維持する。ブレード１２は、表１の座標による基準的なエアフォイル２８の輪郭形状を含む。製作公差及びコーティング厚を考慮するため、＋０．００２インチ（５．０８×１０-5 ｍ）から＋０．０１４インチ（３．５５６×１０-4 ｍ）という補足的な座標誤差が、スタッキングラインに対して直角をなす全ての方向において計測された、表１の基準的な座標を含む包絡線を明確にすることを理解すべきである。
【００２２】
［表１］
標題：  ブレード・・・高圧タービン（ＨＰＴ）
翼断面の名称：  Ａ−Ａ
翼断面座標（Ｘ、Ｙ、Ｒ）
-0.457245   0.122299   0.000000
-0.458463   0.123713   0.000000
-0.459634   0.125166   0.000000
-0.461829   0.128185   0.000000
-0.463824   0.131339   0.000000
-0.466435   0.136297   0.000000
-0.469198   0.143247   0.000000
-0.471524   0.152316   0.000000
-0.472843   0.165382   0.000000
-0.471675   0.182268   0.000000
-0.466746   0.202402   0.000000
-0.457102   0.224984   0.000000
-0.443072   0.249691   0.000000
-0.425534   0.276742   0.000000
-0.403899   0.305543   0.000000
-0.377345   0.335204   0.000000
-0.344969   0.364379   0.000000
-0.305916   0.391135   0.000000
-0.261458   0.412188   0.000000
-0.210308   0.425837   0.000000
-0.155601   0.429415   0.000000
-0.101171   0.422651   0.000000
-0.046843   0.406154   0.000000
0.004473   0.381764   0.000000
0.052377   0.351154   0.000000
0.096819   0.315670   0.000000
0.137926   0.276347   0.000000
0.175885   0.233957   0.000000
0.210891   0.189089   0.000000
0.243133   0.142188   0.000000
0.272829   0.093635   0.000000
0.300236   0.043757   0.000000
0.325620  -0.007178   0.000000
0.349227  -0.058952   0.000000
0.371287  -0.111397   0.000000
0.392000  -0.164374   0.000000
0.410896  -0.215999   0.000000
0.428824  -0.267948   0.000000
0.445319  -0.318364   0.000000
0.459999  -0.365363   0.000000
0.473594  -0.410695   0.000000
0.485694  -0.452504   0.000000
0.496429  -0.490749   0.000000
0.505904  -0.525405   0.000000
0.514203  -0.556450   0.000000
0.521394  -0.583867   0.000000
0.527532  -0.607645   0.000000
0.532662  -0.627779   0.000000
0.536814  -0.644254   0.000000
0.540019  -0.657079   0.000000
0.541966  -0.666175   0.000000
0.541698  -0.673312   0.000000
0.539554  -0.678190   0.000000
0.537303  -0.680973   0.000000
0.534508  -0.683216   0.000000
0.532948  -0.684101   0.000000
0.531304  -0.684818   0.000000
0.530097  -0.685215   0.000000
0.528865  -0.685522   0.000000
0.526349  -0.685851   0.000000
0.523819  -0.685794   0.000000
0.520116  -0.684999   0.000000
0.515667  -0.682687   0.000000
0.511395  -0.678063   0.000000
0.506926  -0.670017   0.000000
0.501415  -0.659301   0.000000
0.494568  -0.646273   0.000000
0.486314  -0.630957   0.000000
0.476588  -0.613389   0.000000
0.465308  -0.593616   0.000000
0.452390  -0.571685   0.000000
0.437745  -0.547657   0.000000
0.421277  -0.521595   0.000000
0.402887  -0.493567   0.000000
0.383242  -0.464748   0.000000
0.361524  -0.434092   0.000000
0.338434  -0.402751   0.000000
0.314756  -0.371840   0.000000
0.289652  -0.340322   0.000000
0.263940  -0.309285   0.000000
0.237636  -0.278739   0.000000
0.210736  -0.248703   0.000000
0.183230  -0.219208   0.000000
0.155117  -0.190283   0.000000
0.126387  -0.161957   0.000000
0.097027  -0.134273   0.000000
0.067025  -0.107279   0.000000
0.036353  -0.081031   0.000000
0.004992  -0.055606   0.000000
-0.027096  -0.031092   0.000000
-0.059948  -0.007601   0.000000
-0.093612   0.014721   0.000000
-0.126982   0.035009   0.000000
-0.161229   0.053799   0.000000
-0.195190   0.070223   0.000000
-0.227566   0.083616   0.000000
-0.259505   0.094380   0.000000
-0.289598   0.101947   0.000000
-0.317619   0.106316   0.000000
-0.343283   0.107525   0.000000
-0.366189   0.105687   0.000000
-0.386049   0.102307   0.000000
-0.403347   0.100963   0.000000
-0.417947   0.102071   0.000000
-0.429593   0.104799   0.000000
-0.438237   0.108193   0.000000
-0.444064   0.111337   0.000000
-0.448460   0.114291   0.000000
-0.451572   0.116755   0.000000
-0.453548   0.118515   0.000000
-0.455441   0.120365   0.000000
-0.456355   0.121320   0.000000
翼断面番号：  ２
翼断面の名称：  Ｂ−Ｂ
翼断面座標（Ｘ、Ｙ、Ｒ）
-0.447814   0.137404   0.178700
-0.449034   0.138801   0.178700
-0.450207   0.140236   0.178700
-0.452413   0.143218   0.178700
-0.454422   0.146336   0.178700
-0.457059   0.151239   0.178700
-0.459869   0.158120   0.178700
-0.462270   0.167108   0.178700
-0.463718   0.180077   0.178700
-0.462740   0.196870   0.178700
-0.458067   0.216930   0.178700
-0.448751   0.239506   0.178700
-0.435713   0.264594   0.178700
-0.419225   0.292080   0.178700
-0.398521   0.321296   0.178700
-0.372699   0.351274   0.178700
-0.340774   0.380541   0.178700
-0.301857   0.406974   0.178700
-0.257318   0.427134   0.178700
-0.206100   0.439213   0.178700
-0.151630   0.440778   0.178700
-0.097839   0.432012   0.178700
-0.044469   0.413756   0.178700
0.005752   0.388014   0.178700
0.052538   0.356409   0.178700
0.095887   0.320199   0.178700
0.135924   0.280329   0.178700
0.172812   0.237510   0.178700
0.206711   0.192274   0.178700
0.237786   0.145048   0.178700
0.266265   0.096205   0.178700
0.292420   0.046076   0.178700
0.316542  -0.005065   0.178700
0.338903  -0.056993   0.178700
0.359754  -0.109544   0.178700
0.379310  -0.162579   0.178700
0.397155  -0.214215   0.178700
0.414104  -0.266135   0.178700
0.429725  -0.316487   0.178700
0.443660  -0.363401   0.178700
0.456597  -0.408626   0.178700
0.468143  -0.450320   0.178700
0.478415  -0.488447   0.178700
0.487502  -0.522986   0.178700
0.495483  -0.553920   0.178700
0.502408  -0.581232   0.178700
0.508331  -0.604917   0.178700
0.513289  -0.624970   0.178700
0.517304  -0.641376   0.178700
0.520410  -0.654155   0.178700
0.522658  -0.663228   0.178700
0.523296  -0.670395   0.178700
0.521593  -0.675383   0.178700
0.519518  -0.678250   0.178700
0.516824  -0.680541   0.178700
0.515295  -0.681431   0.178700
0.513672  -0.682135   0.178700
0.512475  -0.682510   0.178700
0.511253  -0.682789   0.178700
0.508757  -0.683026   0.178700
0.506259  -0.682840   0.178700
0.502653  -0.681777   0.178700
0.498507  -0.679031   0.178700
0.494904  -0.673782   0.178700
0.490863  -0.665423   0.178700
0.485506  -0.654680   0.178700
0.478860  -0.641634   0.178700
0.470850  -0.626280   0.178700
0.461410  -0.608668   0.178700
0.450466  -0.588837   0.178700
0.437938  -0.566833   0.178700
0.423749  -0.542705   0.178700
0.407818  -0.516504   0.178700
0.390057  -0.488290   0.178700
0.371101  -0.459246   0.178700
0.350152  -0.428314   0.178700
0.327877  -0.396657   0.178700
0.305032  -0.365395   0.178700
0.280819  -0.333471   0.178700
0.256021  -0.301985   0.178700
0.230635  -0.270953   0.178700
0.204671  -0.240389   0.178700
0.178130  -0.210310   0.178700
0.151013  -0.180740   0.178700
0.123307  -0.151709   0.178700
0.094997  -0.123255   0.178700
0.066066  -0.095425   0.178700
0.036484  -0.068276   0.178700
0.006222  -0.041876   0.178700
-0.024762  -0.016324   0.178700
-0.056522   0.008269   0.178700
-0.089119   0.031751   0.178700
-0.121507   0.053193   0.178700
-0.154846   0.073137   0.178700
-0.188048   0.090618   0.178700
-0.219870   0.104842   0.178700
-0.251460   0.116104   0.178700
-0.281412   0.123624   0.178700
-0.309407   0.127207   0.178700
-0.334994   0.126744   0.178700
-0.357469   0.122437   0.178700
-0.376939   0.117860   0.178700
-0.394104   0.116459   0.178700
-0.408630   0.117503   0.178700
-0.420217   0.120163   0.178700
-0.428827   0.123495   0.178700
-0.434638   0.126590   0.178700
-0.439025   0.129501   0.178700
-0.442135   0.131932   0.178700
-0.444111   0.133669   0.178700
-0.446005   0.135495   0.178700
-0.446920   0.136438   0.178700
翼断面番号：  ３
翼断面の名称：  Ｃ−Ｃ
翼断面座標（Ｘ、Ｙ、Ｒ）
-0.436992   0.154589   0.357400
-0.438184   0.155996   0.357400
-0.439330   0.157440   0.357400
-0.441479   0.160436   0.357400
-0.443434   0.163564   0.357400
-0.445993   0.168474   0.357400
-0.448696   0.175350   0.357400
-0.450975   0.184317   0.357400
-0.452260   0.197231   0.357400
-0.451100   0.213921   0.357400
-0.446229   0.233816   0.357400
-0.436744   0.256181   0.357400
-0.423679   0.281086   0.357400
-0.407278   0.308425   0.357400
-0.386807   0.337576   0.357400
-0.361370   0.367608   0.357400
-0.329951   0.397079   0.357400
-0.291554   0.423811   0.357400
-0.247408   0.444148   0.357400
-0.196452   0.455920   0.357400
-0.142315   0.456394   0.357400
-0.089206   0.445869   0.357400
-0.037025   0.425434   0.357400
0.011587   0.397489   0.357400
0.056492   0.363854   0.357400
0.097831   0.325883   0.357400
0.135842   0.284548   0.357400
0.170767   0.240555   0.357400
0.202831   0.194418   0.357400
0.232264   0.146548   0.357400
0.259329   0.097291   0.357400
0.284302   0.046932   0.357400
0.307444  -0.004297   0.357400
0.328995  -0.056215   0.357400
0.349164  -0.108682   0.357400
0.368135  -0.161588   0.357400
0.385480  -0.213064   0.357400
0.401973  -0.264809   0.357400
0.417181  -0.314975   0.357400
0.430742  -0.361710   0.357400
0.443330  -0.406759   0.357400
0.454549  -0.448288   0.357400
0.464519  -0.486262   0.357400
0.473330  -0.520661   0.357400
0.481054  -0.551470   0.357400
0.487752  -0.578670   0.357400
0.493472  -0.602259   0.357400
0.498253  -0.622229   0.357400
0.502123  -0.638567   0.357400
0.505115  -0.651298   0.357400
0.507232  -0.660326   0.357400
0.507636  -0.667438   0.357400
0.505817  -0.672350   0.357400
0.503697  -0.675159   0.357400
0.500986  -0.677395   0.357400
0.499455  -0.678264   0.357400
0.497833  -0.678946   0.357400
0.496635  -0.679315   0.357400
0.495412  -0.679585   0.357400
0.492916  -0.679812   0.357400
0.490422  -0.679622   0.357400
0.486822  -0.678562   0.357400
0.482658  -0.675853   0.357400
0.479016  -0.670661   0.357400
0.474978  -0.662347   0.357400
0.469699  -0.651587   0.357400
0.463190  -0.638482   0.357400
0.455402  -0.623036   0.357400
0.446288  -0.605280   0.357400
0.435783  -0.585241   0.357400
0.423824  -0.562961   0.357400
0.410329  -0.538478   0.357400
0.395222  -0.511839   0.357400
0.378418  -0.483101   0.357400
0.360522  -0.453455   0.357400
0.340774  -0.421812   0.357400
0.319793  -0.389362   0.357400
0.298274  -0.357253   0.357400
0.275452  -0.324411   0.357400
0.252049  -0.291967   0.357400
0.228055  -0.259944   0.357400
0.203462  -0.228364   0.357400
0.178269  -0.197246   0.357400
0.152462  -0.166623   0.357400
0.126026  -0.136531   0.357400
0.098935  -0.107017   0.357400
0.071160  -0.078134   0.357400
0.042663  -0.049951   0.357400
0.013403  -0.022553   0.357400
-0.016679   0.003949   0.357400
-0.047650   0.029417   0.357400
-0.079596   0.053660   0.357400
-0.111504   0.075695   0.357400
-0.144534   0.096023   0.357400
-0.177620   0.113592   0.357400
-0.209506   0.127544   0.357400
-0.241294   0.138087   0.357400
-0.271483   0.144415   0.357400
-0.299606   0.146370   0.357400
-0.325065   0.144030   0.357400
-0.347081   0.138198   0.357400
-0.366539   0.133987   0.357400
-0.383706   0.132856   0.357400
-0.398184   0.134126   0.357400
-0.409710   0.136961   0.357400
-0.418248   0.140420   0.357400
-0.424004   0.143599   0.357400
-0.428338   0.146569   0.357400
-0.431404   0.149041   0.357400
-0.433350   0.150805   0.357400
-0.435214   0.152655   0.357400
-0.436115   0.153613   0.357400
翼断面番号：  ４
翼断面の名称：  Ｄ−Ｄ
翼断面座標（Ｘ、Ｙ、Ｒ）
-0.426656   0.178410   0.536101
-0.427800   0.179831   0.536101
-0.428899   0.181285   0.536101
-0.430952   0.184297   0.536101
-0.432812   0.187438   0.536101
-0.435229   0.192351   0.536101
-0.437752   0.199208   0.536101
-0.439817   0.208124   0.536101
-0.440829   0.220920   0.536101
-0.439357   0.237405   0.536101
-0.434160   0.256987   0.536101
-0.424351   0.278913   0.536101
-0.410741   0.303156   0.536101
-0.393832   0.329762   0.536101
-0.372920   0.358103   0.536101
-0.347130   0.387243   0.536101
-0.315450   0.415717   0.536101
-0.276873   0.441248   0.536101
-0.232646   0.460034   0.536101
-0.181861   0.469664   0.536101
-0.128405   0.467473   0.536101
-0.076586   0.454154   0.536101
-0.026260   0.431022   0.536101
0.020171   0.400751   0.536101
0.062749   0.365201   0.536101
0.101747   0.325714   0.536101
0.137488   0.283222   0.536101
0.170271   0.238385   0.536101
0.200372   0.191689   0.536101
0.228069   0.143510   0.536101
0.253635   0.094154   0.536101
0.277338   0.043873   0.536101
0.299403  -0.007154   0.536101
0.320040  -0.058779   0.536101
0.339425  -0.110885   0.536101
0.357706  -0.163386   0.536101
0.374445  -0.214435   0.536101
0.390381  -0.265735   0.536101
0.405078  -0.315453   0.536101
0.418177  -0.361766   0.536101
0.430325  -0.406403   0.536101
0.441141  -0.447549   0.536101
0.450738  -0.485173   0.536101
0.459212  -0.519250   0.536101
0.466629  -0.549772   0.536101
0.473054  -0.576718   0.536101
0.478534  -0.600086   0.536101
0.483111  -0.619863   0.536101
0.486813  -0.636051   0.536101
0.489671  -0.648662   0.536101
0.491662  -0.657604   0.536101
0.491980  -0.664642   0.536101
0.490124  -0.669476   0.536101
0.488000  -0.672233   0.536101
0.485301  -0.674419   0.536101
0.483780  -0.675266   0.536101
0.482173  -0.675927   0.536101
0.480967  -0.676287   0.536101
0.479737  -0.676547   0.536101
0.477234  -0.676748   0.536101
0.474750  -0.676532   0.536101
0.471176  -0.675425   0.536101
0.467023  -0.672646   0.536101
0.463451  -0.667332   0.536101
0.459086  -0.659217   0.536101
0.453357  -0.648661   0.536101
0.446389  -0.635689   0.536101
0.438182  -0.620405   0.536101
0.428764  -0.602723   0.536101
0.418116  -0.582662   0.536101
0.406203  -0.560241   0.536101
0.392913  -0.535511   0.536101
0.378096  -0.508556   0.536101
0.361651  -0.479436   0.536101
0.344247  -0.449315   0.536101
0.325273  -0.417011   0.536101
0.305423  -0.383667   0.536101
0.285294  -0.350484   0.536101
0.264089  -0.316388   0.536101
0.242508  -0.282528   0.536101
0.220677  -0.248849   0.536101
0.198421  -0.215450   0.536101
0.175550  -0.182456   0.536101
0.152023  -0.149914   0.536101
0.127801  -0.117870   0.536101
0.102831  -0.086393   0.536101
0.077053  -0.055556   0.536101
0.050390  -0.025456   0.536101
0.022761   0.003780   0.536101
-0.005940   0.031993   0.536101
-0.035832   0.058968   0.536101
-0.067067   0.084419   0.536101
-0.098676   0.107208   0.536101
-0.131827   0.127724   0.536101
-0.165400   0.144760   0.536101
-0.197975   0.157450   0.536101
-0.230468   0.166053   0.536101
-0.261142   0.170120   0.536101
-0.289425   0.169967   0.536101
-0.314803   0.166159   0.536101
-0.336761   0.159906   0.536101
-0.356384   0.156162   0.536101
-0.373655   0.155382   0.536101
-0.388167   0.156966   0.536101
-0.399677   0.160067   0.536101
-0.408176   0.163731   0.536101
-0.413880   0.167054   0.536101
-0.418164   0.170143   0.536101
-0.421182   0.172698   0.536101
-0.423094   0.174518   0.536101
-0.424920   0.176423   0.536101
-0.425800   0.177406   0.536101
翼断面番号：  ５
翼断面の名称：  Ｅ−Ｅ
翼断面座標（Ｘ、Ｙ、Ｒ）
-0.416167   0.207431   0.714800
-0.417258   0.208859   0.714800
-0.418305   0.210319   0.714800
-0.420257   0.213337   0.714800
-0.422017   0.216474   0.714800
-0.424292   0.221368   0.714800
-0.426641   0.228178   0.714800
-0.428506   0.237004   0.714800
-0.429283   0.249633   0.714800
-0.427564   0.265856   0.714800
-0.422138   0.285078   0.714800
-0.412117   0.306518   0.714800
-0.397893   0.329932   0.714800
-0.380277   0.355538   0.714800
-0.358584   0.382638   0.714800
-0.331939   0.410214   0.714800
-0.299355   0.436656   0.714800
-0.259935   0.459489   0.714800
-0.215200   0.474884   0.714800
-0.164601   0.480405   0.714800
-0.112294   0.474001   0.714800
-0.062388   0.457041   0.714800
-0.014464   0.430962   0.714800
0.029446   0.398520   0.714800
0.069554   0.361428   0.714800
0.106207   0.320884   0.714800
0.139761   0.277702   0.714800
0.170526   0.232465   0.714800
0.198796   0.185608   0.714800
0.224862   0.137466   0.714800
0.248987   0.088307   0.714800
0.271418   0.038344   0.714800
0.292358  -0.012270   0.714800
0.311991  -0.063409   0.714800
0.330475  -0.114977   0.714800
0.347941  -0.166894   0.714800
0.363958  -0.217348   0.714800
0.379222  -0.268028   0.714800
0.393309  -0.317131   0.714800
0.405874  -0.362858   0.714800
0.417526  -0.406921   0.714800
0.427901  -0.447532   0.714800
0.437107  -0.484663   0.714800
0.445231  -0.518290   0.714800
0.452342  -0.548405   0.714800
0.458501  -0.574992   0.714800
0.463752  -0.598044   0.714800
0.468137  -0.617558   0.714800
0.471684  -0.633523   0.714800
0.474419  -0.645971   0.714800
0.476354  -0.654769   0.714800
0.476476  -0.661697   0.714800
0.474547  -0.666421   0.714800
0.472411  -0.669099   0.714800
0.469723  -0.671222   0.714800
0.468218  -0.672039   0.714800
0.466630  -0.672679   0.714800
0.465414  -0.673034   0.714800
0.464175  -0.673286   0.714800
0.461650  -0.673471   0.714800
0.459137  -0.673229   0.714800
0.455528  -0.672079   0.714800
0.451409  -0.669227   0.714800
0.447865  -0.663845   0.714800
0.443438  -0.655565   0.714800
0.437613  -0.644966   0.714800
0.430491  -0.632022   0.714800
0.422068  -0.616727   0.714800
0.412367  -0.599067   0.714800
0.401388  -0.579039   0.714800
0.389142  -0.556641   0.714800
0.375610  -0.531875   0.714800
0.360759  -0.504756   0.714800
0.344542  -0.475311   0.714800
0.327609  -0.444716   0.714800
0.309350  -0.411774   0.714800
0.290453  -0.377641   0.714800
0.271526  -0.343511   0.714800
0.251863  -0.308241   0.714800
0.232127  -0.273006   0.714800
0.212381  -0.237765   0.714800
0.192311  -0.202691   0.714800
0.171635  -0.167956   0.714800
0.150296  -0.133611   0.714800
0.128229  -0.099715   0.714800
0.105357  -0.066343   0.714800
0.081588  -0.033589   0.714800
0.056815  -0.001571   0.714800
0.030911   0.029554   0.714800
0.003727   0.059585   0.714800
-0.024913   0.088249   0.714800
-0.055219   0.115176   0.714800
-0.086299   0.139070   0.714800
-0.119324   0.160229   0.714800
-0.153159   0.177272   0.714800
-0.186239   0.189287   0.714800
-0.219297   0.196580   0.714800
-0.250358   0.199037   0.714800
-0.278766   0.197457   0.714800
-0.304122   0.192867   0.714800
-0.326237   0.186799   0.714800
-0.346044   0.183421   0.714800
-0.363425   0.183023   0.714800
-0.377983   0.184944   0.714800
-0.389483   0.188327   0.714800
-0.397945   0.192211   0.714800
-0.403600   0.195690   0.714800
-0.407833   0.198904   0.714800
-0.410805   0.201548   0.714800
-0.412684   0.203426   0.714800
-0.414471   0.205389   0.714800
-0.415331   0.206400   0.714800
翼断面番号：  ６
翼断面の名称：  Ｆ−Ｆ
翼断面座標（Ｘ、Ｙ、Ｒ）
-0.403918   0.240758   0.893500
-0.404947   0.242198   0.893500
-0.405932   0.243668   0.893500
-0.407763   0.246700   0.893500
-0.409402   0.249839   0.893500
-0.411498   0.254724   0.893500
-0.413616   0.261497   0.893500
-0.415209   0.270239   0.893500
-0.415629   0.282699   0.893500
-0.413506   0.298630   0.893500
-0.407659   0.317428   0.893500
-0.397229   0.338282   0.893500
-0.382341   0.360797   0.893500
-0.363905   0.385253   0.893500
-0.341275   0.410892   0.893500
-0.313578   0.436566   0.893500
-0.279865   0.460447   0.893500
-0.239410   0.479779   0.893500
-0.194167   0.490730   0.893500
-0.144106   0.490965   0.893500
-0.093590   0.479424   0.893500
-0.046267   0.458285   0.893500
-0.001312   0.429006   0.893500
0.039676   0.394330   0.893500
0.077061   0.355748   0.893500
0.111248   0.314265   0.893500
0.142598   0.270556   0.893500
0.171424   0.225111   0.893500
0.198015   0.178293   0.893500
0.222642   0.130389   0.893500
0.245542   0.081617   0.893500
0.266922   0.032140   0.893500
0.286959  -0.017906   0.893500
0.305809  -0.068418   0.893500
0.323602  -0.119314   0.893500
0.340452  -0.170525   0.893500
0.355938  -0.220281   0.893500
0.370711  -0.270240   0.893500
0.384362  -0.318639   0.893500
0.396545  -0.363696   0.893500
0.407845  -0.407115   0.893500
0.417907  -0.447125   0.893500
0.426834  -0.483703   0.893500
0.434706  -0.516833   0.893500
0.441594  -0.546493   0.893500
0.447555  -0.572683   0.893500
0.452634  -0.595388   0.893500
0.456872  -0.614610   0.893500
0.460294  -0.630329   0.893500
0.462950  -0.642598   0.893500
0.464579  -0.651195   0.893500
0.463596  -0.657889   0.893500
0.461166  -0.662337   0.893500
0.458853  -0.664813   0.893500
0.456093  -0.666782   0.893500
0.454582  -0.667548   0.893500
0.453002  -0.668162   0.893500
0.451773  -0.668519   0.893500
0.450521  -0.668781   0.893500
0.447971  -0.669024   0.893500
0.445402  -0.668873   0.893500
0.441661  -0.667931   0.893500
0.437271  -0.665426   0.893500
0.433095  -0.660609   0.893500
0.428997  -0.652100   0.893500
0.423649  -0.641146   0.893500
0.417051  -0.627932   0.893500
0.409156  -0.612263   0.893500
0.399911  -0.594277   0.893500
0.389300  -0.573965   0.893500
0.377335  -0.551320   0.893500
0.364090  -0.526304   0.893500
0.349701  -0.498842   0.893500
0.334211  -0.468904   0.893500
0.318173  -0.437722   0.893500
0.300871  -0.404148   0.893500
0.282872  -0.369408   0.893500
0.264845  -0.334680   0.893500
0.246243  -0.298722   0.893500
0.227666  -0.262742   0.893500
0.208973  -0.226811   0.893500
0.189965  -0.191028   0.893500
0.170384  -0.155542   0.893500
0.150150  -0.120414   0.893500
0.129201  -0.085698   0.893500
0.107459  -0.051460   0.893500
0.084829  -0.017789   0.893500
0.061206   0.015204   0.893500
0.036455   0.047371   0.893500
0.010417   0.078523   0.893500
-0.017094   0.108394   0.893500
-0.046302   0.136631   0.893500
-0.076385   0.161898   0.893500
-0.108514   0.184531   0.893500
-0.141644   0.203071   0.893500
-0.174269   0.216475   0.893500
-0.207108   0.225015   0.893500
-0.238151   0.228439   0.893500
-0.266657   0.227533   0.893500
-0.292146   0.223390   0.893500
-0.314417   0.217738   0.893500
-0.334340   0.214832   0.893500
-0.351764   0.214868   0.893500
-0.366298   0.217161   0.893500
-0.377735   0.220848   0.893500
-0.386107   0.224973   0.893500
-0.391679   0.228619   0.893500
-0.395826   0.231957   0.893500
-0.398728   0.234700   0.893500
-0.400552   0.236637   0.893500
-0.402283   0.238657   0.893500
-0.403112   0.239698   0.893500
翼断面番号：  ７
翼断面の名称：  Ｇ−Ｇ
翼断面座標（Ｘ、Ｙ、Ｒ）
-0.390883   0.285325   1.072200
-0.391763   0.286821   1.072200
-0.392597   0.288335   1.072200
-0.394112   0.291449   1.072200
-0.395426   0.294652   1.072200
-0.397020   0.299600   1.072200
-0.398451   0.306391   1.072200
-0.399167   0.315055   1.072200
-0.398358   0.327224   1.072200
-0.394709   0.342523   1.072200
-0.387125   0.360220   1.072200
-0.374840   0.379443   1.072200
-0.358206   0.399993   1.072200
-0.337982   0.422230   1.072200
-0.313480   0.445294   1.072200
-0.283826   0.467748   1.072200
-0.248257   0.487319   1.072200
-0.206553   0.500841   1.072200
-0.161424   0.504885   1.072200
-0.113286   0.497719   1.072200
-0.066233   0.479563   1.072200
-0.023090   0.453288   1.072200
0.017418   0.420140   1.072200
0.054189   0.382794   1.072200
0.087765   0.342474   1.072200
0.118616   0.299972   1.072200
0.147125   0.255811   1.072200
0.173609   0.210361   1.072200
0.198314   0.163884   1.072200
0.221462   0.116578   1.072200
0.243222   0.068588   1.072200
0.263740   0.020033   1.072200
0.283136  -0.028999   1.072200
0.301516  -0.078433   1.072200
0.318973  -0.128206   1.072200
0.335575  -0.178268   1.072200
0.350883  -0.226896   1.072200
0.365518  -0.275717   1.072200
0.379056  -0.323013   1.072200
0.391137  -0.367050   1.072200
0.402334  -0.409484   1.072200
0.412293  -0.448591   1.072200
0.421113  -0.484348   1.072200
0.428882  -0.516735   1.072200
0.435665  -0.545731   1.072200
0.441525  -0.571335   1.072200
0.446507  -0.593533   1.072200
0.450650  -0.612334   1.072200
0.454159  -0.627672   1.072200
0.456245  -0.639661   1.072200
0.456210  -0.647967   1.072200
0.453657  -0.654132   1.072200
0.450539  -0.658085   1.072200
0.447984  -0.660255   1.072200
0.445126  -0.662006   1.072200
0.443603  -0.662703   1.072200
0.442032  -0.663284   1.072200
0.440785  -0.663648   1.072200
0.439517  -0.663933   1.072200
0.436952  -0.664271   1.072200
0.434394  -0.664315   1.072200
0.430595  -0.663791   1.072200
0.425622  -0.662020   1.072200
0.420337  -0.658180   1.072200
0.415204  -0.650927   1.072200
0.409447  -0.640202   1.072200
0.402572  -0.626865   1.072200
0.394642  -0.611173   1.072200
0.385770  -0.592877   1.072200
0.375943  -0.572019   1.072200
0.365114  -0.548608   1.072200
0.353127  -0.522734   1.072200
0.339717  -0.494532   1.072200
0.324846  -0.464039   1.072200
0.309234  -0.432408   1.072200
0.292455  -0.398328   1.072200
0.275230  -0.362944   1.072200
0.258018  -0.327537   1.072200
0.240105  -0.290962   1.072200
0.222104  -0.254428   1.072200
0.204201  -0.217843   1.072200
0.186390  -0.181187   1.072200
0.168217  -0.144693   1.072200
0.149442  -0.108499   1.072200
0.129906  -0.072698   1.072200
0.109532  -0.037361   1.072200
0.088220  -0.002567   1.072200
0.065857   0.031574   1.072200
0.042308   0.064920   1.072200
0.017412   0.097292   1.072200
-0.009023   0.128429   1.072200
-0.037226   0.157998   1.072200
-0.066400   0.184652   1.072200
-0.097687   0.208813   1.072200
-0.130074   0.229048   1.072200
-0.162098   0.244313   1.072200
-0.194508   0.255004   1.072200
-0.225380   0.260786   1.072200
-0.254012   0.262347   1.072200
-0.279914   0.260639   1.072200
-0.302727   0.256856   1.072200
-0.322905   0.254963   1.072200
-0.340397   0.255932   1.072200
-0.354861   0.259056   1.072200
-0.366122   0.263448   1.072200
-0.374257   0.268130   1.072200
-0.379590   0.272177   1.072200
-0.383502   0.275838   1.072200
-0.386195   0.278818   1.072200
-0.387868   0.280908   1.072200
-0.389431   0.283080   1.072200
-0.390173   0.284191   1.072200
翼断面番号：  ８
翼断面の名称：  Ｈ−Ｈ
翼断面座標（Ｘ、Ｙ、Ｒ）
-0.378463   0.336573   1.250901
-0.379132   0.338123   1.250901
-0.379749   0.339689   1.250901
-0.380829   0.342880   1.250901
-0.381706   0.346137   1.250901
-0.382637   0.351110   1.250901
-0.383183   0.357846   1.250901
-0.382805   0.366300   1.250901
-0.380513   0.377950   1.250901
-0.375077   0.392259   1.250901
-0.365523   0.408369   1.250901
-0.351209   0.425322   1.250901
-0.332519   0.442957   1.250901
-0.310009   0.461548   1.250901
-0.283055   0.479976   1.250901
-0.250978   0.496472   1.250901
-0.213479   0.508461   1.250901
-0.171149   0.512895   1.250901
-0.127394   0.507675   1.250901
-0.082619   0.492185   1.250901
-0.039975   0.467839   1.250901
-0.001283   0.437514   1.250901
0.034999   0.401776   1.250901
0.068027   0.362935   1.250901
0.098324   0.321864   1.250901
0.126324   0.279134   1.250901
0.152367   0.235134   1.250901
0.176728   0.190132   1.250901
0.199617   0.144329   1.250901
0.221211   0.097864   1.250901
0.241649   0.050850   1.250901
0.261043   0.003374   1.250901
0.279491  -0.044494   1.250901
0.297073  -0.092699   1.250901
0.313862  -0.141192   1.250901
0.329910  -0.189932   1.250901
0.344777  -0.237250   1.250901
0.359052  -0.284737   1.250901
0.372309  -0.330724   1.250901
0.384182  -0.373532   1.250901
0.395226  -0.414774   1.250901
0.405080  -0.452774   1.250901
0.413833  -0.487515   1.250901
0.421561  -0.518978   1.250901
0.428330  -0.547145   1.250901
0.434191  -0.572015   1.250901
0.439184  -0.593570   1.250901
0.443348  -0.611847   1.250901
0.446855  -0.626686   1.250901
0.447476  -0.638296   1.250901
0.445200  -0.646104   1.250901
0.441616  -0.651609   1.250901
0.438093  -0.655061   1.250901
0.435414  -0.656968   1.250901
0.432520  -0.658528   1.250901
0.431005  -0.659169   1.250901
0.429456  -0.659715   1.250901
0.428187  -0.660086   1.250901
0.426900  -0.660392   1.250901
0.424290  -0.660806   1.250901
0.421665  -0.660962   1.250901
0.417725  -0.660701   1.250901
0.412574  -0.659441   1.250901
0.406682  -0.656450   1.250901
0.400117  -0.650104   1.250901
0.394541  -0.639354   1.250901
0.388216  -0.625671   1.250901
0.380800  -0.609546   1.250901
0.372320  -0.590878   1.250901
0.362772  -0.569691   1.250901
0.352141  -0.545982   1.250901
0.340382  -0.519781   1.250901
0.327412  -0.491125   1.250901
0.313224  -0.460023   1.250901
0.298417  -0.427703   1.250901
0.282471  -0.392895   1.250901
0.265988  -0.356820   1.250901
0.249502  -0.320740   1.250901
0.232408  -0.283429   1.250901
0.215276  -0.246132   1.250901
0.198145  -0.208829   1.250901
0.181041  -0.171499   1.250901
0.163878  -0.134185   1.250901
0.146271  -0.097062   1.250901
0.127889  -0.060303   1.250901
0.108644  -0.023979   1.250901
0.088440   0.011834   1.250901
0.067159   0.047032   1.250901
0.044663   0.081478   1.250901
0.020790   0.115003   1.250901
-0.004653   0.147367   1.250901
-0.031888   0.178260   1.250901
-0.060143   0.206329   1.250901
-0.090519   0.232112   1.250901
-0.122028   0.254206   1.250901
-0.153262   0.271598   1.250901
-0.184993   0.284838   1.250901
-0.215419   0.293509   1.250901
-0.243917   0.298200   1.250901
-0.270013   0.299702   1.250901
-0.293322   0.298875   1.250901
-0.313760   0.298904   1.250901
-0.331202   0.301607   1.250901
-0.345390   0.306211   1.250901
-0.356216   0.311803   1.250901
-0.363859   0.317382   1.250901
-0.368746   0.322046   1.250901
-0.372236   0.326169   1.250901
-0.374577   0.329474   1.250901
-0.375993   0.331772   1.250901
-0.377291   0.334141   1.250901
-0.377893   0.335348   1.250901
翼断面番号：  ９
翼断面の名称：  Ｊ−Ｊ
翼断面座標（Ｘ、Ｙ、Ｒ）
-0.365192   0.392633   1.429600
-0.365609   0.394220   1.429600
-0.365976   0.395820   1.429600
-0.366558   0.399051   1.429600
-0.366939   0.402314   1.429600
-0.367135   0.407242   1.429600
-0.366723   0.413811   1.429600
-0.365195   0.421913   1.429600
-0.361394   0.432829   1.429600
-0.354201   0.445873   1.429600
-0.342772   0.460066   1.429600
-0.326617   0.474349   1.429600
-0.305874   0.488096   1.429600
-0.280787   0.500742   1.429600
-0.251249   0.510837   1.429600
-0.217411   0.516832   1.429600
-0.179769   0.517151   1.429600
-0.139255   0.510365   1.429600
-0.098739   0.496267   1.429600
-0.057825   0.474617   1.429600
-0.018710   0.446891   1.429600
0.017234   0.415182   1.429600
0.051384   0.379225   1.429600
0.082741   0.340789   1.429600
0.111577   0.300397   1.429600
0.138169   0.258452   1.429600
0.162791   0.215283   1.429600
0.185687   0.171137   1.429600
0.207080   0.126214   1.429600
0.227161   0.080660   1.429600
0.246095   0.034595   1.429600
0.264023  -0.011887   1.429600
0.281061  -0.058715   1.429600
0.297312  -0.105832   1.429600
0.312857  -0.153190   1.429600
0.327766  -0.200748   1.429600
0.341639  -0.246882   1.429600
0.355027  -0.293146   1.429600
0.367532  -0.337921   1.429600
0.378805  -0.379574   1.429600
0.389360  -0.419683   1.429600
0.398841  -0.456624   1.429600
0.407318  -0.490384   1.429600
0.414849  -0.520945   1.429600
0.421483  -0.548300   1.429600
0.427256  -0.572447   1.429600
0.432201  -0.593377   1.429600
0.436385  -0.611090   1.429600
0.438902  -0.625554   1.429600
0.437299  -0.636608   1.429600
0.433576  -0.643762   1.429600
0.429410  -0.648658   1.429600
0.425681  -0.651708   1.429600
0.422956  -0.653411   1.429600
0.420069  -0.654825   1.429600
0.418575  -0.655418   1.429600
0.417054  -0.655936   1.429600
0.415764  -0.656310   1.429600
0.414459  -0.656626   1.429600
0.411813  -0.657092   1.429600
0.409135  -0.657326   1.429600
0.405103  -0.657248   1.429600
0.399833  -0.656346   1.429600
0.393576  -0.653974   1.429600
0.385951  -0.648493   1.429600
0.379295  -0.638451   1.429600
0.373502  -0.624508   1.429600
0.366551  -0.607935   1.429600
0.358403  -0.588911   1.429600
0.349079  -0.567385   1.429600
0.338610  -0.543354   1.429600
0.327032  -0.516799   1.429600
0.314452  -0.487669   1.429600
0.300816  -0.455979   1.429600
0.286640  -0.423017   1.429600
0.271356  -0.387520   1.429600
0.255491  -0.350772   1.429600
0.239611  -0.314025   1.429600
0.223185  -0.276006   1.429600
0.206754  -0.237981   1.429600
0.190397  -0.199924   1.429600
0.174013  -0.161870   1.429600
0.157525  -0.123845   1.429600
0.140586  -0.085998   1.429600
0.122895  -0.048480   1.429600
0.104361  -0.011364   1.429600
0.084887   0.025283   1.429600
0.064363   0.061367   1.429600
0.042655   0.096768   1.429600
0.019616   0.131331   1.429600
-0.004939   0.164852   1.429600
-0.031206   0.197066   1.429600
-0.058438   0.226630   1.429600
-0.087684   0.254222   1.429600
-0.118003   0.278482   1.429600
-0.148068   0.298398   1.429600
-0.178690   0.314671   1.429600
-0.208220   0.326751   1.429600
-0.236130   0.335104   1.429600
-0.261975   0.340340   1.429600
-0.285381   0.343120   1.429600
-0.305858   0.345840   1.429600
-0.322955   0.350889   1.429600
-0.336526   0.357454   1.429600
-0.346574   0.364575   1.429600
-0.353421   0.371261   1.429600
-0.357634   0.376643   1.429600
-0.360518   0.381283   1.429600
-0.362370   0.384939   1.429600
-0.363443   0.387453   1.429600
-0.364385   0.390021   1.429600
-0.364806   0.391321   1.429600
翼断面番号：  １０
翼断面の名称：  Ｋ−Ｋ
翼断面座標（Ｘ、Ｙ、Ｒ）
-0.350395   0.452377   1.608300
-0.350527   0.453974   1.608300
-0.350608   0.455577   1.608300
-0.350625   0.458790   1.608300
-0.350449   0.461994   1.608300
-0.349828   0.466774   1.608300
-0.348364   0.473034   1.608300
-0.345596   0.480590   1.608300
-0.340208   0.490498   1.608300
-0.331222   0.501908   1.608300
-0.317965   0.513727   1.608300
-0.300133   0.524813   1.608300
-0.277676   0.533904   1.608300
-0.250728   0.539452   1.608300
-0.219873   0.540062   1.608300
-0.186058   0.534910   1.608300
-0.150284   0.523834   1.608300
-0.113316   0.507133   1.608300
-0.076966   0.486030   1.608300
-0.039998   0.460024   1.608300
-0.003960   0.430151   1.608300
0.029846   0.397724   1.608300
0.062492   0.361862   1.608300
0.092777   0.323947   1.608300
0.120740   0.284257   1.608300
0.146508   0.243075   1.608300
0.170280   0.200679   1.608300
0.192266   0.157314   1.608300
0.212689   0.113166   1.608300
0.231750   0.068395   1.608300
0.249630   0.023123   1.608300
0.266494  -0.022544   1.608300
0.282473  -0.068536   1.608300
0.297690  -0.114790   1.608300
0.312242  -0.161259   1.608300
0.326212  -0.207898   1.608300
0.339234  -0.253122   1.608300
0.351835  -0.298451   1.608300
0.363645  -0.342302   1.608300
0.374336  -0.383083   1.608300
0.384384  -0.422340   1.608300
0.393450  -0.458489   1.608300
0.401588  -0.491515   1.608300
0.408845  -0.521408   1.608300
0.415257  -0.548166   1.608300
0.420856  -0.571779   1.608300
0.425667  -0.592261   1.608300
0.429593  -0.609538   1.608300
0.430109  -0.623738   1.608300
0.426406  -0.634154   1.608300
0.422005  -0.640671   1.608300
0.417508  -0.645094   1.608300
0.413667  -0.647861   1.608300
0.410921  -0.649417   1.608300
0.408049  -0.650728   1.608300
0.406573  -0.651285   1.608300
0.405073  -0.651781   1.608300
0.403762  -0.652156   1.608300
0.402437  -0.652477   1.608300
0.399756  -0.652978   1.608300
0.397047  -0.653275   1.608300
0.392962  -0.653334   1.608300
0.387540  -0.652693   1.608300
0.381010  -0.650753   1.608300
0.372740  -0.646067   1.608300
0.364312  -0.637157   1.608300
0.358258  -0.623284   1.608300
0.351556  -0.606368   1.608300
0.343646  -0.586972   1.608300
0.334570  -0.565021   1.608300
0.324372  -0.540523   1.608300
0.313106  -0.513444   1.608300
0.300901  -0.483734   1.608300
0.287621  -0.451442   1.608300
0.273794  -0.417867   1.608300
0.258893  -0.381710   1.608300
0.243457  -0.344263   1.608300
0.228010  -0.306812   1.608300
0.212017  -0.268075   1.608300
0.196005  -0.229341   1.608300
0.180201  -0.190518   1.608300
0.164404  -0.151675   1.608300
0.148350  -0.112926   1.608300
0.131829  -0.074361   1.608300
0.114609  -0.036085   1.608300
0.096568   0.001820   1.608300
0.077620   0.039298   1.608300
0.057663   0.076262   1.608300
0.036573   0.112610   1.608300
0.014217   0.148214   1.608300
-0.009567   0.182899   1.608300
-0.034951   0.216453   1.608300
-0.061192   0.247551   1.608300
-0.089287   0.277005   1.608300
-0.118325   0.303516   1.608300
-0.147056   0.326058   1.608300
-0.176313   0.345492   1.608300
-0.204579   0.361143   1.608300
-0.231418   0.373374   1.608300
-0.256429   0.382650   1.608300
-0.279270   0.389474   1.608300
-0.299257   0.395573   1.608300
-0.315483   0.403443   1.608300
-0.327917   0.412293   1.608300
-0.336725   0.421124   1.608300
-0.342403   0.428987   1.608300
-0.345667   0.435091   1.608300
-0.347733   0.440229   1.608300
-0.348938   0.444203   1.608300
-0.349568   0.446901   1.608300
-0.350054   0.449625   1.608300
-0.350243   0.451000   1.608300
翼断面番号：  １１
翼断面の名称：  Ｌ−Ｌ
翼断面座標（Ｘ、Ｙ、Ｒ）
-0.334014   0.515452   1.787000
-0.333815   0.517033   1.787000
-0.333563   0.518606   1.787000
-0.332922   0.521727   1.787000
-0.332094   0.524807   1.787000
-0.330519   0.529321   1.787000
-0.327826   0.535102   1.787000
-0.323610   0.541876   1.787000
-0.316386   0.550407   1.787000
-0.305371   0.559653   1.787000
-0.290128   0.568422   1.787000
-0.270604   0.575516   1.787000
-0.247006   0.579428   1.787000
-0.219962   0.578391   1.787000
-0.190424   0.571909   1.787000
-0.159165   0.560037   1.787000
-0.126703   0.542966   1.787000
-0.093398   0.520896   1.787000
-0.060779   0.495024   1.787000
-0.027747   0.464636   1.787000
0.004382   0.431006   1.787000
0.034560   0.395603   1.787000
0.063850   0.357423   1.787000
0.091295   0.317890   1.787000
0.117014   0.277211   1.787000
0.141134   0.235557   1.787000
0.163785   0.193085   1.787000
0.185089   0.149917   1.787000
0.205168   0.106164   1.787000
0.224135   0.061919   1.787000
0.242100   0.017252   1.787000
0.259157  -0.027767   1.787000
0.275397  -0.073087   1.787000
0.290894  -0.118665   1.787000
0.305726  -0.164460   1.787000
0.319947  -0.210444   1.787000
0.333171  -0.255047   1.787000
0.345920  -0.299783   1.787000
0.357818  -0.343082   1.787000
0.368530  -0.383370   1.787000
0.378542  -0.422178   1.787000
0.387522  -0.457933   1.787000
0.395535  -0.490617   1.787000
0.402636  -0.520217   1.787000
0.408878  -0.546727   1.787000
0.414298  -0.570121   1.787000
0.418935  -0.590444   1.787000
0.422082  -0.607566   1.787000
0.419964  -0.621489   1.787000
0.415190  -0.631331   1.787000
0.410229  -0.637398   1.787000
0.405489  -0.641499   1.787000
0.401549  -0.644074   1.787000
0.398773  -0.645530   1.787000
0.395894  -0.646773   1.787000
0.394423  -0.647309   1.787000
0.392927  -0.647789   1.787000
0.391588  -0.648167   1.787000
0.390238  -0.648500   1.787000
0.387503  -0.649026   1.787000
0.384742  -0.649366   1.787000
0.380570  -0.649523   1.787000
0.375027  -0.649067   1.787000
0.368274  -0.647451   1.787000
0.359478  -0.643309   1.787000
0.350095  -0.635143   1.787000
0.342522  -0.621789   1.787000
0.335954  -0.604585   1.787000
0.328203  -0.584722   1.787000
0.319263  -0.562299   1.787000
0.309159  -0.537285   1.787000
0.298063  -0.509619   1.787000
0.286022  -0.479270   1.787000
0.272928  -0.446285   1.787000
0.259302  -0.411984   1.787000
0.244619  -0.375049   1.787000
0.229397  -0.336800   1.787000
0.214166  -0.298550   1.787000
0.198400  -0.258984   1.787000
0.182622  -0.219419   1.787000
0.166878  -0.179833   1.787000
0.151131  -0.140241   1.787000
0.135343  -0.100655   1.787000
0.119355  -0.061128   1.787000
0.102729  -0.021845   1.787000
0.085278   0.017096   1.787000
0.066916   0.055631   1.787000
0.047545   0.093687   1.787000
0.027049   0.131171   1.787000
0.005298   0.167966   1.787000
-0.017843   0.203921   1.787000
-0.042534   0.238856   1.787000
-0.068017   0.271446   1.787000
-0.095224   0.302638   1.787000
-0.123222   0.331168   1.787000
-0.150780   0.356048   1.787000
-0.178674   0.378330   1.787000
-0.205477   0.397310   1.787000
-0.230812   0.413346   1.787000
-0.254353   0.426823   1.787000
-0.275834   0.438109   1.787000
-0.294561   0.448265   1.787000
-0.309205   0.459391   1.787000
-0.319847   0.470761   1.787000
-0.326854   0.481390   1.787000
-0.330915   0.490419   1.787000
-0.332916   0.497199   1.787000
-0.333913   0.502762   1.787000
-0.334282   0.506986   1.787000
-0.334345   0.509811   1.787000
-0.334254   0.512633   1.787000
-0.334153   0.514046   1.787000
特定の実施態様の状況で本発明を説明してきたが、前述の説明を読んだ当業者であれば、その他の代替、修正並びに変更は明らかであろう。従って、それら代替、修正並びに変更は、本発明の請求項に記載の範囲内に含まれる。
【図面の簡単な説明】
【００２３】
【図１】図１は、ガスタービン・エンジンのタービン・セクションの部分概略図である。
【図２】図２は、本発明の実施態様による第１段タービンブレードの斜視図である。
【図３】図３は、本発明の実施態様による第１段タービンブレードの側面図である。
【符号の説明】
【００２４】
１２・・・タービン・ブレード
２４・・・根部
２６・・・プラットフォーム
２８・・・エアフォイル
３４・・・前縁
３６・・・後縁
４２・・・二次元の翼断面
４４・・・スタッキングライン
【図１】
2006046334.tif 000003
【図２】
2006046334.tif 000004
【図３】
2006046334.tif 000005